【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
複数のフレームからなる処理対象区間内における、高域信号の生成に用いる同じ係数が選択されたフレームからなる区間に関する情報、および前記区間のフレームで選択された前記係数を得るための係数情報からなるデータと、低域符号化データとに、入力された符号化データを非多重化する非多重化部と、
前記低域符号化データを復号して低域信号を生成する低域復号部と、
前記データに基づいて、複数の前記係数から、処理対象フレームの前記係数を選択する選択部と、
前記処理対象フレームの前記低域信号を構成する各サブバンドの低域サブバンド信号と、選択された前記係数とに基づいて、前記処理対象フレームの前記高域信号を構成する各サブバンドの高域サブバンド信号の高域サブバンドパワーを算出する高域サブバンドパワー算出部と、
前記高域サブバンドパワーと前記低域サブバンド信号とに基づいて、前記処理対象フレームの前記高域信号を生成する高域信号生成部と
を備える信号処理装置。
【請求項２】
異なる前記係数が選択された、互いに隣接するフレームの位置が前記区間の境界位置となるように前記処理対象区間が前記区間に分割され、各前記区間の長さを示す情報が、前記区間に関する情報とされる
請求項１に記載の信号処理装置。
【請求項３】
前記区間の長さが最も長くなるように、前記処理対象区間が同じ長さのいくつかの前記区間に分割され、前記長さを示す情報と、前記区間の境界位置の前後で、選択された前記係数が変化したかを示す情報とが、前記区間に関する情報とされる
請求項１に記載の信号処理装置。
【請求項４】
連続するいくつかの前記区間で同じ前記係数が選択された場合、前記データには、前記連続するいくつかの前記区間で選択された前記係数を得るための１つの前記係数情報が含まれている
請求項３に記載の信号処理装置。
【請求項５】
前記データは、異なる前記係数が選択された、互いに隣接するフレームの位置が前記区間の境界位置となるように前記処理対象区間を前記区間に分割し、各前記区間の長さを示す情報を、前記区間に関する情報とする第１の方式と、前記区間の長さが最も長くなるように、前記処理対象区間を同じ長さのいくつかの前記区間に分割し、前記長さを示す情報、および前記区間の境界位置の前後で、選択された前記係数が変化したかを示す情報を、前記区間に関する情報とする第２の方式とのうち、よりデータ量が少ない方式で前記処理対象区間ごとに生成され、
前記データには、前記第１の方式または前記第２の方式の何れの方式のデータであるかを示す情報がさらに含まれている
請求項１に記載の信号処理装置。
【請求項６】
前記データには、前記処理対象区間の最初のフレームの前記係数と、前記最初のフレームの直前のフレームの前記係数とが同じであるかを示す再利用情報がさらに含まれ、
前記データに、前記係数が同じである旨の前記再利用情報が含まれる場合、前記データには、前記処理対象区間の最初の前記区間の前記係数情報が含まれていない
請求項１に記載の信号処理装置。
【請求項７】
前記係数情報が再利用されるモードが指定された場合、前記データには前記再利用情報が含まれ、前記係数情報の再利用が禁止されるモードが指定された場合、前記データには、前記再利用情報が含まれない
請求項６に記載の信号処理装置。
【請求項８】
複数のフレームからなる処理対象区間内における、高域信号の生成に用いる同じ係数が選択されたフレームからなる区間に関する情報、および前記区間のフレームで選択された前記係数を得るための係数情報からなるデータと、低域符号化データとに、入力された符号化データを非多重化する非多重化部と、
前記低域符号化データを復号して低域信号を生成する低域復号部と、
前記データに基づいて、複数の前記係数から、処理対象フレームの前記係数を選択する選択部と、
前記処理対象フレームの前記低域信号を構成する各サブバンドの低域サブバンド信号と、選択された前記係数とに基づいて、前記処理対象フレームの前記高域信号を構成する各サブバンドの高域サブバンド信号の高域サブバンドパワーを算出する高域サブバンドパワー算出部と、
前記高域サブバンドパワーと前記低域サブバンド信号とに基づいて、前記処理対象フレームの前記高域信号を生成する高域信号生成部と
を備える信号処理装置の信号処理方法であって、
前記非多重化部が、前記符号化データを前記データと前記低域符号化データとに非多重化し、
前記低域復号部が、前記低域符号化データを復号し、
前記選択部が、前記処理対象フレームの前記係数を選択し、
前記高域サブバンドパワー算出部が、前記高域サブバンドパワーを算出し、
前記高域信号生成部が、前記高域信号を生成する
ステップを含む信号処理方法。
【請求項９】
複数のフレームからなる処理対象区間内における、高域信号の生成に用いる同じ係数が選択されたフレームからなる区間に関する情報、および前記区間のフレームで選択された前記係数を得るための係数情報からなるデータと、低域符号化データとに、入力された符号化データを非多重化し、
前記低域符号化データを復号して低域信号を生成し、
前記データに基づいて、複数の前記係数から、処理対象フレームの前記係数を選択し、
前記処理対象フレームの前記低域信号を構成する各サブバンドの低域サブバンド信号と、選択された前記係数とに基づいて、前記処理対象フレームの前記高域信号を構成する各サブバンドの高域サブバンド信号の高域サブバンドパワーを算出し、
前記高域サブバンドパワーと前記低域サブバンド信号とに基づいて、前記処理対象フレームの前記高域信号を生成する
ステップを含む処理をコンピュータに実行させるプログラム。
【請求項１０】
入力信号の低域側の複数のサブバンドの低域サブバンド信号と、前記入力信号の高域側の複数のサブバンドの高域サブバンド信号とを生成するサブバンド分割部と、
前記低域サブバンド信号と所定の係数とに基づいて、前記高域サブバンド信号のパワーの推定値である擬似高域サブバンドパワーを算出する疑似高域サブバンドパワー算出部と、
前記高域サブバンド信号の高域サブバンドパワーと、前記擬似高域サブバンドパワーとを比較して、前記入力信号のフレームごとに、複数の前記係数のうちの何れかを選択する選択部と、
前記入力信号の複数のフレームからなる処理対象区間内における、同じ前記係数が選択されたフレームからなる区間に関する情報と、前記区間のフレームで選択された前記係数を得るための係数情報とからなるデータを生成する生成部と
を備える信号処理装置。
【請求項１１】
前記生成部は、異なる前記係数が選択された、互いに隣接するフレームの位置が前記区間の境界位置となるように前記処理対象区間を前記区間に分割し、各前記区間の長さを示す情報を、前記区間に関する情報とする
請求項１０に記載の信号処理装置。
【請求項１２】
前記生成部は、前記区間の長さが最も長くなるように、前記処理対象区間を同じ長さのいくつかの前記区間に分割し、前記長さを示す情報と、前記区間の境界位置の前後で、選択された前記係数が変化したかを示す情報とを、前記区間に関する情報とする
請求項１０に記載の信号処理装置。
【請求項１３】
前記生成部は、異なる前記係数が選択された、互いに隣接するフレームの位置が前記区間の境界位置となるように前記処理対象区間を前記区間に分割し、各前記区間の長さを示す情報を、前記区間に関する情報とする第１の方式と、前記区間の長さが最も長くなるように、前記処理対象区間を同じ長さのいくつかの前記区間に分割し、前記長さを示す情報、および前記区間の境界位置の前後で、選択された前記係数が変化したかを示す情報を、前記区間に関する情報とする第２の方式とのうち、よりデータ量が少ない方式で前記処理対象区間ごとに、前記データを生成する
請求項１０に記載の信号処理装置。
【請求項１４】
前記生成部は、前記処理対象区間の最初のフレームの前記係数と、前記最初のフレームの直前のフレームの前記係数とが同じであるかを示す再利用情報がさらに含まれる前記データを生成し、
前記係数が同じである旨の前記再利用情報が前記データに含まれる場合、前記処理対象区間の最初の前記区間の前記係数情報が含まれない前記データが生成される
請求項１０に記載の信号処理装置。
【請求項１５】
入力信号の低域側の複数のサブバンドの低域サブバンド信号と、前記入力信号の高域側の複数のサブバンドの高域サブバンド信号とを生成するサブバンド分割部と、
前記低域サブバンド信号と所定の係数とに基づいて、前記高域サブバンド信号のパワーの推定値である擬似高域サブバンドパワーを算出する疑似高域サブバンドパワー算出部と、
前記高域サブバンド信号の高域サブバンドパワーと、前記擬似高域サブバンドパワーとを比較して、前記入力信号のフレームごとに、複数の前記係数のうちの何れかを選択する選択部と、
前記入力信号の複数のフレームからなる処理対象区間内における、同じ前記係数が選択されたフレームからなる区間に関する情報と、前記区間のフレームで選択された前記係数を得るための係数情報とからなるデータを生成する生成部と
を備える信号処理装置の信号処理方法であって、
前記サブバンド分割部が、前記低域サブバンド信号と前記高域サブバンド信号とを生成し、
前記疑似高域サブバンドパワー算出部が、前記擬似高域サブバンドパワーを算出し、
前記選択部が、複数の前記係数のうちの何れかを選択し、
前記生成部が、前記データを生成する
ステップを含む信号処理方法。
【請求項１６】
入力信号の低域側の複数のサブバンドの低域サブバンド信号と、前記入力信号の高域側の複数のサブバンドの高域サブバンド信号とを生成し、
前記低域サブバンド信号と所定の係数とに基づいて、前記高域サブバンド信号のパワーの推定値である擬似高域サブバンドパワーを算出し、
前記高域サブバンド信号の高域サブバンドパワーと、前記擬似高域サブバンドパワーとを比較して、前記入力信号のフレームごとに、複数の前記係数のうちの何れかを選択し、
前記入力信号の複数のフレームからなる処理対象区間内における、同じ前記係数が選択されたフレームからなる区間に関する情報と、前記区間のフレームで選択された前記係数を得るための係数情報とからなるデータを生成する
ステップを含む処理をコンピュータに実行させるプログラム。
【請求項１７】
複数のフレームからなる処理対象区間内における、高域信号の生成に用いる同じ係数が選択されたフレームからなる区間に関する情報、および前記区間のフレームで選択された前記係数を得るための係数情報からなるデータと、低域符号化データとに、入力された符号化データを非多重化する非多重化部と、
前記低域符号化データを復号して低域信号を生成する低域復号部と、
前記データに基づいて、複数の前記係数から、処理対象フレームの前記係数を選択する選択部と、
前記処理対象フレームの前記低域信号を構成する各サブバンドの低域サブバンド信号と、選択された前記係数とに基づいて、前記処理対象フレームの前記高域信号を構成する各サブバンドの高域サブバンド信号の高域サブバンドパワーを算出する高域サブバンドパワー算出部と、
前記高域サブバンドパワーと前記低域サブバンド信号とに基づいて、前記処理対象フレームの前記高域信号を生成する高域信号生成部と、
前記低域信号と前記高域信号とを合成して、出力信号を生成する合成部と
を備える復号装置。
【請求項１８】
複数のフレームからなる処理対象区間内における、高域信号の生成に用いる同じ係数が選択されたフレームからなる区間に関する情報、および前記区間のフレームで選択された前記係数を得るための係数情報からなるデータと、低域符号化データとに、入力された符号化データを非多重化する非多重化部と、
前記低域符号化データを復号して低域信号を生成する低域復号部と、
前記データに基づいて、複数の前記係数から、処理対象フレームの前記係数を選択する選択部と、
前記処理対象フレームの前記低域信号を構成する各サブバンドの低域サブバンド信号と、選択された前記係数とに基づいて、前記処理対象フレームの前記高域信号を構成する各サブバンドの高域サブバンド信号の高域サブバンドパワーを算出する高域サブバンドパワー算出部と、
前記高域サブバンドパワーと前記低域サブバンド信号とに基づいて、前記処理対象フレームの前記高域信号を生成する高域信号生成部と、
前記低域信号と前記高域信号とを合成して、出力信号を生成する合成部と
を備える復号装置の復号方法であって、
前記非多重化部が前記符号化データを前記データと前記低域符号化データとに非多重化し、
前記低域復号部が前記低域符号化データを復号し、
前記選択部が前記処理対象フレームの前記係数を選択し、
前記高域サブバンドパワー算出部が前記高域サブバンドパワーを算出し、
前記高域信号生成部が前記高域信号を生成し、
前記合成部が前記出力信号を生成する
ステップを含む復号方法。
【請求項１９】
入力信号の低域側の複数のサブバンドの低域サブバンド信号と、前記入力信号の高域側の複数のサブバンドの高域サブバンド信号とを生成するサブバンド分割部と、
前記低域サブバンド信号と所定の係数とに基づいて、前記高域サブバンド信号のパワーの推定値である擬似高域サブバンドパワーを算出する疑似高域サブバンドパワー算出部と、
前記高域サブバンド信号の高域サブバンドパワーと、前記擬似高域サブバンドパワーとを比較して、前記入力信号のフレームごとに、複数の前記係数のうちの何れかを選択する選択部と、
前記入力信号の複数のフレームからなる処理対象区間内における、同じ前記係数が選択されたフレームからなる区間に関する情報と、前記区間のフレームで選択された前記係数を得るための係数情報とを符号化して高域符号化データを生成する高域符号化部と、
前記入力信号の低域信号を符号化し、低域符号化データを生成する低域符号化部と、
前記低域符号化データと前記高域符号化データとを多重化して出力符号列を生成する多重化部と
を備える符号化装置。
【請求項２０】
入力信号の低域側の複数のサブバンドの低域サブバンド信号と、前記入力信号の高域側の複数のサブバンドの高域サブバンド信号とを生成するサブバンド分割部と、
前記低域サブバンド信号と所定の係数とに基づいて、前記高域サブバンド信号のパワーの推定値である擬似高域サブバンドパワーを算出する疑似高域サブバンドパワー算出部と、
前記高域サブバンド信号の高域サブバンドパワーと、前記擬似高域サブバンドパワーとを比較して、前記入力信号のフレームごとに、複数の前記係数のうちの何れかを選択する選択部と、
前記入力信号の複数のフレームからなる処理対象区間内における、同じ前記係数が選択されたフレームからなる区間に関する情報と、前記区間のフレームで選択された前記係数を得るための係数情報とを符号化して高域符号化データを生成する高域符号化部と、
前記入力信号の低域信号を符号化し、低域符号化データを生成する低域符号化部と、
前記低域符号化データと前記高域符号化データとを多重化して出力符号列を生成する多重化部と
を備える符号化装置の符号化方法であって、
前記サブバンド分割部が前記低域サブバンド信号と前記高域サブバンド信号とを生成し、
前記疑似高域サブバンドパワー算出部が前記擬似高域サブバンドパワーを算出し、
前記選択部が複数の前記係数のうちの何れかを選択し、
前記高域符号化部が前記高域符号化データを生成し、
前記低域符号化部が前記低域符号化データを生成し、
前記多重化部が前記出力符号列を生成する
ステップを含む符号化方法。
【手続補正２】
【補正対象書類名】明細書
【補正対象項目名】００３５
【補正方法】削除
【補正の内容】
【手続補正３】
【補正対象書類名】明細書
【補正対象項目名】００３７
【補正方法】削除
【補正の内容】
【手続補正４】
【補正対象書類名】明細書
【補正対象項目名】００３９
【補正方法】削除
【補正の内容】